(57)【要約】【課題】多段的に進退する筒状部材相互のがたつきの積み上げを解消して各レンズ相互の光軸ずれを解消し、特に、回転しながら光軸方向に相対的に移動する２つの回転筒相互間のがたつきを防止したレンズ鏡胴、カメラおよび携帯型情報端末装置を得る。【解決手段】複数のレンズ群を個別に移動させるために２つ以上の回転筒を有する変倍可能なレンズ鏡胴において、回転筒は、光軸周りに一体的に回転し光軸方向に相対移動する第１の回転筒１５と第２の回転筒１２を含み、第１の回転筒１５と第２の回転筒１２の間に、第１の回転筒１５と第２の回転筒１２を光軸方向に付勢する付勢部材２０が設けられている。付勢部材２０は、レンズ鏡胴の収納時は蓄勢されず、レンズ鏡胴が撮影可能な態勢をとっているとき第１の回転筒１５と第２の回転筒１２を付勢するように構成するとよい。【選択図】図１
2009128472.tif 000002
【特許請求の範囲】
【請求項１】
複数のレンズ群を個別に移動させるために２つ以上の回転筒を有する変倍可能なレンズ鏡胴において、
上記２つ以上の回転筒は、光軸周りに一体的に回転し光軸方向に相対移動する第１の回転筒と第２の回転筒を含み、
上記第１の回転筒と第２の回転筒の間に、この第１の回転筒と第２の回転筒を光軸方向に付勢する付勢部材が設けられていることを特徴とするレンズ鏡胴。
【請求項２】
沈胴式のレンズ鏡胴であって、２つ以上の回転筒を含む部材は、非撮影時に固定筒側に収納される請求項１記載のレンズ鏡胴。
【請求項３】
付勢部材は、レンズ鏡胴の収納時は蓄勢されず、レンズ鏡胴が撮影可能な態勢をとっているとき第１の回転筒と第２の回転筒を付勢する請求項２記載のレンズ鏡胴。
【請求項４】
付勢部材は複数のコイルばねからなる請求項１記載のレンズ鏡胴。
【請求項５】
沈胴式のレンズ鏡胴であって、
コイルばねからなる付勢部材は、一端が第１の回転筒と第２の回転筒の一方に固着され、レンズ鏡胴の収納時は蓄勢されず、レンズ鏡胴が撮影可能な態勢をとっているとき第１の回転筒と第２の回転筒を付勢する請求項４記載のレンズ鏡胴。
【請求項６】
コイルばねは、一端が一方の回転筒に固着され、他端が他方の回転筒の一部に対向し、沈胴時はコイルばねの他端が他方の回転筒の一部から離間する請求項５記載のレンズ鏡胴。
【請求項７】
複数のコイルばねは第１の回転部材および第２の回転部材の周方向に等間隔に配置されている請求項４記載のレンズ鏡胴。
【請求項８】
第１の回転筒は、光軸周りに回転駆動されることにより光軸方向に移動し、第２の回転筒は、第１の回転筒の回転と共に光軸周りに回転することにより光軸方向に移動するように構成され、
第２の回転筒とともに光軸周りに回転し光軸方向へ移動するカム筒を備え、
第２の回転筒と上記カム筒の光軸周りの回転および光軸方向への移動により複数のレンズ枠が光軸方向に移動して収納および変倍を可能にした請求項１記載のレンズ鏡胴。
【請求項９】
変倍可能な撮影レンズを備えたカメラであって、上記撮影レンズは請求項１から８のいずれかに記載のレンズ鏡胴を備えているカメラ。
【請求項１０】
変倍可能な撮影レンズを備えた携帯型情報端末装置であって、上記撮影レンズは請求項１から８のいずれかに記載のレンズ鏡胴を備えている携帯型情報端末装置。
【発明の詳細な説明】
【技術分野】
【０００１】
本発明は、不使用時にコンパクトに収納することができる沈胴式のレンズ鏡胴、このレンズ鏡胴を用いたカメラおよび携帯型情報端末装置に関するもので、特に、回転しながら移動する筒のがたつきを防止することができる構造に特徴を有するものである。
【背景技術】
【０００２】
デジタルカメラを初めとして、各種カメラにおいては、撮影レンズとして焦点距離を連続して変更可能なズームレンズの装着が一般化しており、さらに、ズームレンズの高性能化、小型化が要求されている。特にデジタルカメラにおいては、小型化が進展し、撮影時以外はレンズ鏡胴がカメラ本体内に収納される、いわゆる沈胴式の撮影レンズを組み込んだものが増加している。カメラの小型化の要求はさらに薄型化にも及び、撮影レンズが沈胴した状態でのレンズ鏡胴部分の厚み寸法を極限まで小さくするための工夫が求められている。上記沈胴式レンズ鏡胴において、撮影時以外はレンズの一部を他のレンズの光路外に退避させる機構を組み込んだ例は上記工夫の一つである。
【０００３】
撮影レンズとしてズームレンズを採用し、かつ、撮影時以外のレンズ鏡胴の厚み寸法をより小さくしようとすると、レンズ枠や筒の重なりを増やし、これらの枠や筒が半径方向内外に重なり合った状態で光軸方向に相対的に移動して伸縮する構成が採用される。しかし、レンズ枠や筒の重なりが増えると、枠や筒の重なり部分で「がた」が生じ、多くの重なり部分でのがたが積み上がることによって大きな「がた」になり、これが各レンズ相互の光軸ずれの要因となって、結像される画像の品質が低下する。上記「がた」はまた、カメラの姿勢、例えばカメラを光軸周りに９０度回転させて縦長の画面で撮影するかまたは横長の画面で撮影するかによっても異なり、「がた」がより大きくなる姿勢では、画像品質がより一層低下する、という問題があった。
【０００４】
上記のような「がた」を無くす工夫は従来のレンズ鏡胴においても試みられている。特許文献１記載の発明はその一つで、沈胴式のレンズ鏡胴において、回転しながら光軸方向に移動する回転筒と、この回転筒と光軸方向には一体的に移動し、しかし、回転止めがなされることによって直進方向にのみ移動するライナを有し、撮影状態においてのみライナのカムフォロワに当接してライナを片寄せする板ばねを設けたことを特徴としている。撮影状態において、板ばねがライナを片寄せするため、ライナが安定し、がたつきを防止することができる。ただし、特許文献１に記載されている上記回転筒とライナと板ばね構成をズームレンズに採用すると、ズーミングの過程で板ばねとカムフォロワの当接が外れるため、ズームレンズに採用することはできない。
【０００５】
特許文献２記載の発明は、一つのカム筒で二つのレンズ群を移動させるようにしたレンズ鏡胴において、カム筒と鏡胴本体すなわち固定部との間に弾性部材を介在させ、カム筒を光軸方向に付勢してカム筒のがたつきを防止するものである。特許文献２記載の発明は、いわゆる沈胴式のレンズ鏡胴ではなく、また、筒状の部材が多段式に伸縮するものにおいて、筒状の部材間のがたつきをなくすという目的のものでもない。
【０００６】
特許文献３記載の発明は、第２レンズ枠より結像面側に回転しないリング状の遮光板を設け、第２レンズ枠と上記遮光板との間に引っ張りばねを介在させることにより、第２レンズ枠のピンをカム筒のカム溝の側壁に当接させ、第２レンズ枠とカム筒間のがたつきを無くすようにしたズームレンズ鏡胴に関するものである。特許文献３記載の発明によれば、引っ張りばねを装着するために、リング状の遮光板を別部材として付加する必要があり、しかも、この遮光板を光軸方向に並べて配置する必要があるため、光軸方向のスペースが増大する難点がある。また、第２レンズ枠の厚さ方向にまたがって、かつ、第２レンズ枠の外周側に引っ張りばねを介在させているため、引っ張りばねを有効に機能させるためには第２レンズの厚みが必要であり、引っ張りばねを収容するために、光軸方向のスペースおよび第２レンズ枠の外周側に容積の大きな空洞を形成する必要があって、レンズ鏡胴を小型化するための阻害要因となっている。
【０００７】
特許文献４記載の発明は、レンズ光学系を収容し内外多重に配置される第１筒体、第２筒体および第２筒体と係合して第２筒体を回転させる第３筒体を有する沈胴式のレンズ鏡胴において、第２筒体が使用位置まで繰り出したときに、第２筒体と第３筒体相互を光軸方向に付勢する付勢部材を、回転筒である第２筒体に設けたことを特徴としている。
【０００８】
【特許文献１】特開２００７−１１４５３３号公報
【特許文献２】特開２０００−１８０６８９号公報
【特許文献３】特開平１０−１２３４０３号公報
【特許文献４】特許第３８６６９９６号公報
【発明の開示】
【発明が解決しようとする課題】
【０００９】
以上説明した各特許文献記載の発明はいずれも、多段的に進退する筒状の部材を有するレンズ鏡胴において、筒状部材相互のがたつきの積み上げを解消して各レンズ相互の光軸ずれを解消するという発想はない。また、回転しながら光軸方向に相対的に移動する２つの回転筒相互間のがたつきを防止するための構成も開示されていない。したがって、従来のレンズ鏡胴によれば、各レンズの光軸の位置ずれが生じやすく、結像される画像の品質が劣化しやすい、という難点があった。
【００１０】
本発明は、多段的に進退する筒状の部材を有するレンズ鏡胴において、筒状部材相互のがたつきの積み上げを解消して各レンズ相互の光軸ずれを解消し、特に、回転しながら光軸方向に相対的に移動する２つの回転筒相互間のがたつきを防止することができるレンズ鏡胴、カメラおよび携帯型情報端末装置を提供することを目的とする。
【課題を解決するための手段】
【００１１】
本発明は、複数のレンズ群を個別に移動させるために２つ以上の回転筒を有する変倍可能なレンズ鏡胴において、上記２つ以上の回転筒は、光軸周りに一体的に回転し光軸方向に相対移動する第１の回転筒と第２の回転筒を含み、上記第１の回転筒と第２の回転筒の間に、この第１の回転筒と第２の回転筒を光軸方向に付勢する付勢部材が設けられていることを最も主要な特徴とする。
上記付勢部材は、レンズ鏡胴の収納時は蓄勢されず、レンズ鏡胴が撮影可能な態勢をとっているとき第１の回転筒と第２の回転筒を付勢するように構成するとよい。
【発明の効果】
【００１２】
第１の回転筒と第２の回転筒は、第１の回転筒と第２の回転筒との間に設けられている付勢部材によって光軸方向に付勢されるため、第１の回転筒と第２の回転筒相互間のがたつきがなくなり、第１の回転筒と第２の回転筒によって移動させられる複数のレンズ群相互の光軸ずれがなくなり、鮮鋭で高品質の画像を得ることができる。
上記付勢部材は、レンズ鏡胴の収納時は蓄勢されず、レンズ鏡胴が撮影可能な態勢をとっているとき第１の回転筒と第２の回転筒を付勢するように構成すると、レンズ鏡胴を撮影可能な態勢から収納位置までの範囲で移動させるときの力量を軽減することができる。
【発明を実施するための最良の形態】
【００１３】
以下、本発明にかかるレンズ鏡胴、カメラおよび携帯型情報端末装置の実施例について図面を参照しながら説明する。
図１乃至図１１において、符号１７はレンズ鏡胴のベース部材を示しており、ベース部材１７は固定筒１０を備えている。固定筒１０の内周側には大回転筒１５が嵌められ、大回転筒１５の内周側にはその後端側（図において右端側）から円筒形状の大直進ガイド１６が嵌められている。固定筒１０の内周面には比較的ピッチの大きい雌型のヘリコイド１０３が形成されるとともに、中心軸線と平行に直進溝１０１が複数個所に形成されている。上記ヘリコイド１０３には、大回転筒１５の後端部外周に突出して形成された雄型のヘリコイド１５３が嵌っている。上記ヘリコイド１５３は、図３に示すように、極短い突形のヘリコイドで、大回転筒１５の周方向の複数個所に形成されている。
【００１４】
大回転筒１５の後端部外周には、ヘリコイド１５３に隣接してラック１５１が形成されている。このラック１５１には、モータによって回転駆動される図示されないピニオンが噛み合っている。したがって、上記ピニオンがモータによって回転駆動されると、ヘリコイド１５３がヘリコイド１０３に案内されることにより大回転筒１５が固定筒１０内において中心軸線周りに回転しながら中心軸線方向（以下「光軸方向」という）前後に移動するようになっている。上記ピニオンは、大回転筒１５が前後に移動してもラック１５１との噛み合いが外れないように軸方向の寸法が長くなっている。
【００１５】
大直進ガイド１６は後端部に半径方向外側に向かって突出した複数個の突起１６５を有していて、これらの突起１６５は固定筒１０の直進溝１０１に嵌まっている。したがって、大直進ガイド１６は直進溝１０１にガイドされて中心軸線方向に直進移動することができる。大回転筒１５の内周面には、直進溝１５２が複数本、それぞれ光軸と平行に形成されている。上記各直進溝１５２は大回転筒１５の前端部において周方向に形成された溝に連続している。大直進ガイド１６の前端部外周面には上記直進溝１５２に対応する数の突起１６４が形成されている。これらの突起１６４は上記各直進溝１５２に沿って挿入されたあと、大回転筒１５と大直進ガイド１６が中心軸線周りに相対回転させられることにより、各突起１６４が直進溝１５２に続く上記周方向の溝に嵌まっている。したがって、大直進ガイド１６は、上記各突起１６４が上記周方向の溝に嵌まることによって、大回転筒１５と一体的に中心軸線方向に移動するようになっており、また、中心軸線周りには大回転筒１５に対して相対回転可能になっている。大直進ガイド１６の前端部内周面には雌型のヘリコイド１６３が形成されている。
【００１６】
大直進ガイド１６を第１の回転筒とすると、この第１の回転筒である大直進ガイド１６の内周側には第２の回転筒である小回転筒１２が嵌められている。図４にも示すように、小回転筒１２の後端部外周面には雄型のヘリコイド１２１が形成され、このヘリコイド１２１形成部の一部に適宜数の円柱状のピン１２３が立てられている。図２に示すように、上記ヘリコイド１２１は大直進ガイド１６のヘリコイド１６３と噛み合い、上記ピン１２３は、大直進ガイド１６の周壁に形成された逃げ溝１６６を貫通して大回転筒１５の直進溝１５２に嵌まっている。したがって、大回転筒１５が光軸周りに回転すると、この回転力が直進溝１５２からピン１２３に伝えられ、小回転筒１２が大回転筒１５とともに光軸周りに回転するようになっている。大直進ガイド１６に対して小回転筒１２が回転することにより、上記ヘリコイド１２１と大直進ガイド１６のヘリコイド１６３との噛み合いによって小回転筒１２が光軸方向に進退するようになっている。上記ピン１２３は、小回転筒１２の回転によりヘリコイド１２１とヘリコイド１６３とのピッチに対応して回転しつつ移動するので、ピン１２３が大直進ガイド１６と干渉しないように、上記逃げ溝１６６は、ヘリコイド１２１およびヘリコイド１６３のピッチと同じピッチで、かつ、上記ピン１２３から離間するようにピン１２３の直径よりいくらか幅広に形成されている。
【００１７】
小回転筒１２の内周面には適宜数のカム溝１２４が形成されている。小回転筒１２の内周側には第１レンズ群１を保持したリング状の第１レンズ枠１１が嵌められている。レンズ枠１１の後端部外周にはピン状のカムフォロワ１１１が適宜数立てられていて、それぞれのカムフォロワ１１１は上記カム溝１２４に嵌まっている。レンズ枠１１の内周側には円筒形の小直進ガイド１３が嵌められている。小直進ガイド１３の後端部外周の対蹠位置には２つのガイド突起１３１，１３２が半径方向外方に突出して形成されている。これらのガイド突起１３１，１３２は、大直進ガイド１６の内周面に形成された光軸方向の直進溝１６７，１６８に嵌まっている。したがって、小直進ガイド１３は大直進ガイド１６に対しては光軸方向に相対移動可能であるが、大直進ガイド１６と同様に光軸周りに回転することはできない。
【００１８】
小直進ガイド１３の外周面には適宜数の直進溝１３３が光軸と平行に形成されている。レンズ保持枠１１の内周面側には上記直進溝１３３に嵌り合う図示されない突起が形成されている。したがって、レンズ保持枠１１は小直進ガイド１３に対し光軸方向に相対移動可能になっている。また、小回転筒１２が光軸周りに回転すると、そのカム溝１２４に対するレンズ保持筒１１のカムフォロワ１１１の嵌合位置が連続的に変動し、レンズ保持筒１１がカム溝１２４の側壁に押されて光軸方向に移動するようになっている。レンズ保持筒１１の前端には、不使用時にレンズ前面を塞いでレンズを保護するバリヤユニット１８が固定されている。
【００１９】
小直進ガイド１３の内周側にはカム筒１４が嵌められている。カム筒１４の後端には一対の突起１４１が半径方向外側に突出して形成されている。これらの突起１４１は、小回転筒１２の後端に形成されている切り込み（図示されず）に嵌まっていて、カム筒１４は小回転筒１２と一体的に光軸周りに回転し、また、光軸方向に移動可能となっている。カム筒１４には光軸方向前側にカム溝１４２が、光軸方向後ろ側にカム溝１４３が形成されている。カム筒１４の内周側には、前側に第２レンズ枠２１が、後ろ側にシャッタユニット３１がそれぞれ相対回転可能に、かつ、光軸方向に相対移動可能に嵌められている。第２レンズ枠２１は第２レンズ群２を保持している。第２レンズ枠２１の外周には適宜数のピン状のカムフォロワ２１１が立てられ、シャッタユニット３１の外周には適宜数のピン状のカムフォロワ３１１が立てられている。第２レンズ枠２１のカムフォロワ２１１はカム筒１４のカム溝１４２を貫通し、さらに、小直進ガイド１３の内周面に形成されている直進溝１３５（図９参照）に嵌まっている。したがって、カム筒１４が回転すると、カムフォロワ２１１が嵌まっている上記カム溝１４２と小直進ガイド１３の直進溝との交差位置が光軸方向に移動し、第２レンズ枠２１が光軸方向に移動するように構成されている。シャッタユニット３１のカムフォロワ３１１はカム筒１４のカム溝１４３を貫通し、さらに、小直進ガイド１３の内周面に形成されている直進溝に嵌まっている。したがって、カム筒１４が回転すると、カムフォロワ３１１が嵌まっている上記カム溝１４３と小直進ガイド１３の直進溝１３６（図９参照）との交差位置が光軸方向に移動し、シャッタユニット３１が光軸方向に移動するように構成されている。
【００２０】
ここまで説明してきたレンズ鏡胴は、沈胴式のズームレンズを構成している。そこで、収納状態から、各部材をベース部材１７から撮影可能な状態まで繰り出す動作、さらに、撮影可能な状態におけるワイド位置（広角端）からテレ位置（望遠端）までの間の動作について説明しておく。
【００２１】
前述のモータの駆動によって大回転筒１５が回転駆動されると、大回転筒１５はそのヘリコイド１５３が固定筒１０のヘリコイド１０３にリードされて光軸方向に移動する。大回転筒１５の内周側に嵌められている大直進ガイド１６は、突起１６５が固定筒１０の直進溝１０１に嵌まっているため、また、前述のとおり光軸方向には大回転筒１５と一体であるから、光軸周りに回転することなく大回転筒１５の光軸方向への移動と共に光軸方向に移動する。大回転筒１５の内周面に形成されている直進溝１５２には、小回転筒１２に立てられ、かつ、大直進ガイド１６の逃げ孔１６６を貫通しているピン１２３が嵌まっているため、大回転筒１５が回転することによりこの回転力が小回転筒１２に伝達され、小回転筒１２も光軸周りに回転する。小回転筒１２が回転すると、そのヘリコイド１２１と大直進ガイド１６のヘリコイド１６３との噛み合いにより小回転筒１２は光軸方向に進退する。
【００２２】
小回転筒１２の内周側には、第１レンズ枠１１、小直進ガイド１３、カム筒１４がこの順に嵌められている。カム筒１４は小回転筒１２に実質的に一体に結合されている。小直進ガイド１３は、そのガイド突起１３１，１３２が大直進ガイド１６の直進溝１６７，１６８に嵌まることにより、大直進ガイド１６に対して光軸方向に直進することができるが、光軸周りに回転することはできない。小回転筒１２が光軸周りに回転すると、カムフォロワ１１１が小回転筒１２のカム溝１２４に嵌まり、かつ、小直進ガイド１３の直進溝１３３で回転止めがなされている第１レンズ枠１１が、カム溝１２４によって光軸方向に移動させられる。
【００２３】
また、小回転筒１２と共にカム筒１４が回転すると、そのカム溝１４２を貫通しかつ小直進ガイド１３の直進溝１３５に嵌まっている第２レンズ枠２１のカムフォロワ２１が光軸方向に移動し、これと共に第２レンズ枠２１が光軸方向に移動する。同様に、カム溝１４３を貫通しかつ小直進ガイド１３の直進溝１３６に嵌まるシャッタユニット３１のカムフォロワ３１１が光軸方向に移動し、これと共にシャッタユニット３１が光軸方向に移動する。
【００２４】
図６、図８は、固定枠１０を除く他の部材が固定枠１０の方に向かって後退し、第１レンズ保持筒１１、小回転筒１２、大回転筒１５の前端面がほぼ同一面をなしてコンパクトに収納された状態を示している。この収納状態では、バリヤユニット１８がバリヤを閉じ、レンズを保護している。この実施例におけるレンズ構成は、前述の第１レンズ群１と第２レンズ群２のほかに、図９に示すように第３レンズ群３、第４レンズ群４を備えているが、上記収納状態では、第３レンズ群３、第４レンズ群４は光軸外に退避して、レンズ鏡胴およびこのレンズ鏡胴を備えたカメラなどのコンパクト化に寄与する構成になっている。
【００２５】
上記収納状態から撮影可能な状態にすべくモータが起動されると、モータの回転力がラック１５１に伝達されて大回転筒１５が回転駆動される。大回転筒１５はその回転によりリコイド１５３が固定筒１０のヘリコイド１０３にリードされて光軸方向前方に繰り出し、大直進ガイド１６も光軸方向前方に直進する。大回転筒１５の回転により小回転筒１２も前述のとおり光軸周りに回転し、小回転筒１２はそのヘリコイド１２１と大直進ガイド１６のヘリコイド１６３との噛み合いにより光軸方向前方に繰り出す。また、小回転筒１２と一体的にカム筒１４も回転しながら光軸方向に繰り出し、小回転筒１２の光軸方向への繰り出しに伴って小直進ガイド１３が光軸方向前方に向かって直進する。小回転筒１２が光軸周りに回転しながら光軸方向に繰り出すことにより第１レンズ枠１１が光軸方向に繰り出す。カム筒１４が回転しながら光軸方向に繰り出すことにより、そのカム溝１４２，１４３の側壁が第２レンズ枠２１、シャッタユニット３１のカムフォロワ２１１，３１１を押し、第２レンズ枠２１およびシャッタユニット３１を光軸方向に繰り出す。図２、図９は、このようにして、第１レンズ群１、第２レンズ群２が光軸方向に繰り出し、また、第３レンズ群３、第４レンズ群４が光軸上に進出して撮影可能な態勢に至った状態を示している。図７はこのときの外観を示しており、バリヤユニット１８がバリヤを開いている。
【００２６】
図２、図９に示す各レンズ群の位置は、撮影可能な最も短い焦点距離位置すなわち広角端の位置である。この位置においてたとえばズームボタンを望遠側に操作すると、前記モータはさらに同じ向きに回転し、大回転筒１５を収納状態から撮影可能な状態にするときの回転の向きと同じ向きに回転させる。これにより第１レンズ群１、第２レンズ群２はさらに光軸方向前方に繰り出し、第３レンズ群３、第４レンズ群４も適宜光軸方向に進退し、図１０に示すような、撮影可能な最も長い焦点距離位置すなわち望遠端に至る。望遠端から広角端に向かう動作は、ズームボタンを広角側に操作し、上記モータを逆転させて大回転筒１５を逆転させ、上記各レンズ群１〜４を逆向きに移動させることによって行う。
【００２７】
以上説明してきたように、多くの筒状の部材を相互に光軸方向に進退させ、かつ相対回転させることにより、多くのレンズ群に複雑な動きをさせることによって、収納時の形態をコンパクトにするとともに、撮影可能範囲での変倍率を大きくすることを可能にしている。このように、筒状の部材が多段的に進退する構成では、撮影時において、筒状の部材相互間にがたつきがあると、がたつきが多段に積み上がって各レンズ群の光軸がずれ、撮影画像の品質が劣化することは前に説明した。図示の実施例では、筒状の部材相互間のがたつきを無くすためのさまざまな工夫がなされているので、次に、このがたつき防止のための構造について説明する。
【００２８】
図１、図８乃至図１１に示すように、固定筒１０の前端部外周面には周方向に適宜の間隔をおいて、第１の弾性部材としての適宜数の板ばね１０５が固定されている。板ばね１０５の後端部は直角に曲げられて固定筒１０のスリット状の孔から固定筒１０の内周面に形成された光軸方向の直進溝１０６内に進出している。この直進溝１０６には大直進ガイド１６の後端に半径方向外方に向けて形成された突出部１６９が嵌まっている。大直進ガイド１６を含む各筒状の部材が撮影可能な位置まで進出した状態で板ばね１０５の折り曲げ部に大直進ガイド１６の突出部１６９が当たって板ばね１０５を蓄勢するようになっている。この蓄勢力で、図１１に示すように大直進ガイド１６を後方に向かって付勢し、前記ヘリコイド１０３，１５３の嵌まり合い部分を一方向に付勢し、固定筒１０と大回転筒１５相互をがたつきなく安定させている。また、上記付勢力で大直進ガイド１６の突起１６４を大回転筒１５の前記周溝の一方の側壁に押圧し、大直進ガイド１６と大回転筒１５相互をがたつきなく安定させている。板ばね１０５が付勢されるのは撮影可能な態勢に至っている場合のみであって、沈胴状態に移行し始めると板ばね１０５の付勢力はなくなるため、沈胴（収納）位置から撮影可能な位置までの動作過程で、板ばね１０５を付勢するための力量が軽減される。
【００２９】
図６にも示すように、大回転筒１５の前端内周側には内向きのフランジ状の部材１５５が一体に設けられていて、このフランジ状の部材１５５には第２の付勢部材としてのコイルばね２０の前端が適宜数、適宜の手段で固着されている。複数のコイルばね２０は第１の回転部材である大回転筒１５および第２の回転部材である小回転筒１２の周方向に等間隔に配置されている。コイルばね２０は小回転筒１２の外周面に沿って後方に伸び、コイルばね２０の後端には小回転筒１２の外周面に形成されている段部１２６が当接することができるようになっている。ただし、図８に示すような収納状態ではコイルばね２０の後端と上記段部１２６との間には比較的大きな間隔があり、図９に示すように撮影可能な態勢になって初めてコイルばね２０の後端に上記段部１２６が当接してコイルばね２０が圧縮されるようになっている。図９に示す広角端から図１０に示す望遠端までは、コイルばね２０の後端に上記段部１２６が当接してコイルばね２０を圧縮し蓄勢する。大回転筒１５と小回転筒１２は実質的に一体となって回転し光軸方向に移動するので、コイルばね２０を上記の形態で介在させることができる。コイルばね２０と上記フランジ状の部材１５５との結合は、接着、溶着その他適宜の手段を用いて差し支えない。撮影可能な態勢では、コイルばね２０によって大回転筒１５と小回転筒１２は光軸方向に、かつ互いに反対向きに付勢され、大回転筒１５と小回転筒１２は、その相互間ががたつくことなく安定している。コイルばね２０は、撮影可能な範囲内でのみ付勢され、収納するときは付勢されないから、沈胴のための力量が軽減される。
【００３０】
小直進ガイド１３の前記ガイド突起１３１，１３２の前面側には第３の付勢部材としての板ばね２５が装着されている。板ばね２５はＶ字状に折り曲げることによってばね材として機能するようになっていて、板ばね２５には常時小回転筒１２の後端が当接して板ばね２５が蓄勢され、この蓄勢力で小直進ガイド１３が後方に、小回転筒１２が前方に向かって付勢されている。
【００３１】
第１レンズ枠１と第２レンズ枠２との間には、第４の付勢部材として、光路の外方に沿って巻かれた圧縮コイルばね３０が介在している。圧縮コイルばね３０は常時第１レンズ枠１と第２レンズ枠２を光軸方向において引き離す向きに付勢している。この付勢力で第１レンズ枠１は前方（図１１において左方）に付勢され、第１レンズ枠１１のカムフォロワ１１１が小回転筒１２のカム溝１２４の一方の側壁に押圧され、第１レンズ枠１１と小回転筒１２相互をがたつきなく安定化させている。圧縮コイルばね３０の付勢力により第２レンズ枠２が後方に付勢され、そのカムフォロワ２１１がカム筒１４のカム溝１４２の一方の側壁に押圧され、第２レンズ枠２とカム筒１４相互をがたつきなく安定化させている。
【００３２】
以上説明した実施例によれば、多段構成の筒状の部材が伸縮可能に嵌められた構成において、光軸方向に相対移動する部材相互間および光軸方向には一体的に移動し光軸周りには相対回転する部材相互間が第１乃至第４の付勢部材によって光軸方向に付勢されている。図１１に示す矢印は、各部材相互間の付勢の向きを示している。これらの付勢力によって互いに嵌り合う部材相互間のがたつきがなくなり、各レンズ群相互の光軸ずれを無くすことができる。特に、大回転筒１５と小回転筒１２相互を付勢する第２の付勢部材であるコイルばね２０を設けたことを最大の特徴としている。特許請求の範囲に記載されている付勢部材とは、図示の実施例においては上記コイルばね２０を指している。
【００３３】
複数のレンズ群を個別に移動させるための大回転筒１５と小回転筒１２は光軸周りには一体的に回転するが、光軸方向には相対的に移動する。コイルばね２０は、このように光軸周りには一体的に回転し、光軸方向には相対移動する大回転筒１５と小回転筒１２相互間に設けられ、かつ、撮影レンズの収納状態では蓄勢されず、撮影可能な範囲内においてのみ蓄勢されるようになっている。そのため、各レンズ群を撮影状態から収納状態までの範囲で駆動するのに要する力量を小さくすることができ、撮影可能な態勢ではコイルばね２０の付勢力によって大回転筒１５と小回転筒１２相互間のがたつきを防止して、各レンズ群の光軸ずれを無くし、あるいは光軸ずれを微小化することができる。
【００３４】
以上説明したレンズ鏡胴は、変倍可能な撮影レンズを備えたカメラの上記撮影レンズ鏡胴として適用することにより、各レンズの光軸ずれをなくして、鮮鋭で高品質の画像を撮影することができる。
また、以上説明したレンズ鏡胴は、変倍可能な撮影レンズを備えた携帯情報端末装置、例えば、携帯電話、ＰＤＡなどの上記撮影レンズ鏡胴として適用することにより、各レンズの光軸ずれをなくして、鮮鋭で高品質の画像を撮影することができる。
【図面の簡単な説明】
【００３５】
【図１】本発明にかかるレンズ鏡胴の実施例を示す分解斜視図である。
【図２】上記レンズ鏡胴が繰り出している状態を示す縦断面図である。
【図３】上記レンズ鏡胴が繰り出している状態を示す斜視図である。
【図４】上記実施例における大回転筒と小回転筒とを付勢する第２付勢部材の部分を示す斜視図である。
【図５】上記実施例における第３付勢部材の部分を示す斜視図である。
【図６】上記実施例にかかるレンズ鏡胴が収納された状態の外観を示す斜視図である。
【図７】上記実施例にかかるレンズ鏡胴が撮影可能な態勢まで繰り出された状態を示す外観を示す斜視図である。
【図８】上記実施例にかかるレンズ鏡胴が収納された状態を示す縦断面図である。
【図９】上記実施例にかかるレンズ鏡胴が撮影可能な広角端の態勢まで繰り出された状態を示す縦断面図である。
【図１０】上記実施例にかかるレンズ鏡胴が撮影可能な望遠端の態勢まで繰り出された状態を示す縦断面図である。
【図１１】上記実施例にかかるレンズ鏡胴が撮影可能な広角端の態勢まで繰り出された状態における各付勢部材による付勢方向を示す縦断面図である。
【符号の説明】
【００３６】
１０    固定筒
１０１    直進溝
１０３    ヘリコイド
１０５    板ばね
１１    第１レンズ保持筒
１１１    カムフォロワ
１２    小回転筒
１２１    ヘリコイド
１２３    ピン
１２４    カム溝
１３    小直進ガイド
１３３    直進溝
１４    カム筒
１５    大回転筒
１５２    直線溝
１５３    ヘリコイド
１６    大直進ガイド
１６３    ヘリコイド
２０    付勢部材
２１    第２レンズ枠
【図１】
2009128472.tif 000003
【図２】
2009128472.tif 000004
【図３】
2009128472.tif 000005
【図４】
2009128472.tif 000006
【図５】
2009128472.tif 000007
【図６】
2009128472.tif 000008
【図７】
2009128472.tif 000009
【図８】
2009128472.tif 000010
【図９】
2009128472.tif 000011
【図１０】
2009128472.tif 000012
【図１１】
2009128472.tif 000013